(57)【要約】【課題】  簡単な構造の雪害防止装置を後から冷却装置に取り付けることで、ファンガードに雪が付着することを阻止でき、又はある程度の雪が付着した状態でも冷却ファンを回転させ吹き飛ばすことができ、冷却効果を維持する。【解決手段】  風胴２内で回転する冷却ファン３により冷却する放熱器を設けて成る屋外機器の放熱用ラジエター１において、冷却ファン３の吹出側に、冷却ファン３を覆うように屋外機器の放熱用ラジエター１に取り付けたファンガード４と、ファンガード４に、その全面を覆うように取り付けた、温風は通過するが雪は通過させない程度の目地を有する網材６から成るドーム状カバー５と、ドーム状カバー５の下部に設けた、放熱器からの温風を吹き出すための開放構造（点検口７）と、を備えた。【選択図】  図１
2006196794.tif 000002
【特許請求の範囲】
【請求項１】
風胴（２）内で回転する冷却ファン（３）により冷却する放熱器を設けて成る屋外機器の放熱用ラジエター（１）において、
前記冷却ファン（３）の吹出側に、該冷却ファン（３）を覆うように前記屋外機器の放熱用ラジエター（１）に取り付けたファンガード（４）と、
前記ファンガード（４）に、その全面を覆うように取り付けた、温風は通過するが雪は通過させない程度の目地を有する網材（６）から成るドーム状カバー（５）、を備えた、ことを特徴とする冷却ファン用雪害防止装置。
【請求項２】
前記ドーム状カバー（５）の下部に、前記冷却ファン（３）の動きを素手で確認するための開放構造を設けた、ことを特徴とする請求項１の冷却ファン用雪害防止装置。
【請求項３】
前記開放構造は、前記ドーム状カバー（５）の下部に略円弧形状に開けた点検口（７）である、ことを特徴とする請求項２の冷却ファン用雪害防止装置。
【請求項４】
前記開放構造は、前記ドーム状カバー（５）の略下半分を切り欠いた構造である、ことを特徴とする請求項２の冷却ファン用雪害防止装置。
【請求項５】
前記ドーム状カバー（５）において、融解した水滴が滴り落ちやすいように、その網材（６）を構成する線材が傾斜するように、該ドーム状カバー（５）を配置した、ことを特徴とする請求項１，２，３又は４の冷却ファン用雪害防止装置。
【請求項６】
前記ドーム状カバー（５）は、その周縁を前記ファンガード（４）を固定しているボルトで同時に締め付け固定した、ことを特徴とする請求項１，２，３，４又は５の冷却ファン用雪害防止装置。
置。
【発明の詳細な説明】
【技術分野】
【０００１】
本発明は、屋外機器の放熱用ラジエター等に取り付ける冷却ファンに係り、特に雪がファンガード内に入り冷却ファンが回転不能とならない冷却ファン用雪害防止装置に関するものである。
【背景技術】
【０００２】
従来より、変圧器又は分路リアクトル等の屋外機器はその容量が大きくなると、冷却効果を高めるために放熱管や放熱パネルを多数並設した放熱器をその変圧器のタンクの周囲に取り付けている。この放熱器に冷却ファンを設けて強制的に放熱させ、冷却した油又は絶縁ガスをポンプで変圧器内に送出して強制的に循環している。
【０００３】
寒冷地で使用される屋外機器の放熱用ラジエター等に取り付けられる冷却ファンは、図５に示すように、この冷却ファン５１が停止している状態で吹雪いたときの雪が冷却ファン５１や風胴５２の中に浸入し、その融雪水が凍結することがある。また、雨水等の水分も夜間に凍結することがある。例えば、ファンガード５３に付着した雪Ｓが融けると、ファンガード５３下部と冷却ファン５１との間で融雪水Ｓが再凍結し、冷却ファン５１が回転しないときがある。そこで、ファンガード５３の上部に庇５４を設けて、このファンガード５３に雪が当たらないようにして、冷却ファン５１が起動不能にならないようにしている。
【０００４】
このような寒冷地向けの冷却装置に関する技術が提案されている。例えば、特許文献１の特開平１０−５０５３０号公報「寒冷地向け変圧器の冷却装置」に示すように、円筒状の風胴と、該風胴の内部に設けられ風胴の内周面と小間隔をもって回転自在に取り付けられた冷却ファンと、該冷却ファンを回転駆動するファンモータとで冷却扇を形成し、該冷却扇を変圧器と連通する放熱器に取り付けて成る変圧器の冷却装置において、前記風胴を水平位置から下方に任意角傾斜して風胴内の水分を風胴外に流出させるようにした技術が提案されている。
【０００５】
また、この特許文献１には、風胴の外周にファンモータへ接続されるリード線を各相毎に巻回して巻線を形成し、該巻線に流れる起動電流により風胴を加熱して冷却ファンと風胴との凍結を解凍するようにした技術も提案されている。
【特許文献１】特開２００３−１１０９８１
【発明の開示】
【発明が解決しようとする課題】
【０００６】
しかし、上記従来の、ファンガード５３の上部に庇５４を取り付けた場合、冷却ファン５１から吹き出される温風が一部下向き方向に曲げられることで風損を生じたり、外気温との温度差により上昇気流が生じにくくするなど（矢視線参照）、冷却効果が低下しやいという問題があった。また、冷却装置に庇５４を取り付ける溶接作業が必要となり、余計な費用がかかるという問題があった。
【０００７】
また、特許文献１のように、風胴を下方に傾斜しただけでは横から吹き込む雪を確実に防御できなかった。また、ヒーターを加熱して凍結した雪を解凍する方法では、現在ある冷却装置に後付することができないという問題があった。即ち、これら特許文献１の装置は、その構造上から既存の屋外機器の放熱器に後から組み付けることが困難であった。
【０００８】
本発明は、かかる問題点を解決するために創案されたものである。すなわち、本発明の目的は、簡単な構造の雪害防止装置を後から冷却装置に取り付けることで、ファンガードに雪が付着することを阻止でき、又はある程度の雪が付着した状態でも冷却ファンを回転させ吹き飛ばすことができ、冷却効果を維持することができる冷却ファン用雪害防止装置を提供することにある。
【課題を解決するための手段】
【０００９】
本発明によれば、風胴（２）内で回転する冷却ファン（３）により冷却する放熱器を設けて成る屋外機器の放熱用ラジエター（１）において、前記冷却ファン（３）の吹出側に、該冷却ファン（３）を覆うように前記屋外機器の放熱用ラジエター（１）に取り付けたファンガード（４）と、前記ファンガード（４）に、その全面を覆うように取り付けた、温風は通過するが雪は通過させない程度の目地を有する網材（６）から成るドーム状カバー（５）と、を備えた、ことを特徴とする冷却ファン用雪害防止装置が提供される。
前記ドーム状カバー（５）の下部に、前記冷却ファン（３）の動きを素手で確認するための開放構造を設けることが好ましい。例えば、前記開放構造は、前記ドーム状カバー（５）の下部に略円弧形状に開けた点検口（７）、又は前記ドーム状カバー（５）の略下半分を切り欠いた構造である。
【００１０】
前記ドーム状カバー（５）において、融解した水滴が滴り落ちやすいように、その網材（６）を構成する複数本の線材が傾斜するように、該ドーム状カバー（５）を配置することが好ましい。前記ドーム状カバー（５）は、その周縁を前記ファンガード（４）を固定しているボルトで同時に締め付け固定することができる。
【発明の効果】
【００１１】
上記構成の発明では、ドーム状カバー（５）を構成する網材（６）に付着した雪（Ｓ）の融雪水は、この網材（６）の目地間隔が５ｍｍ程度であるために温風は通過するが雪（Ｓ）は通過させないので、この網材（６）の目地の表面を伝わって落とさせることができる。なお、網材（６）の目地に残った水分が凍結しても、冷却ファン（３）の回転時の温風で融けて吹き飛ばす。なお、５ｍｍ目地程度の網材（６）では、夏季における屋外機器の放熱用ラジエター（１）の温度上昇に悪影響を及ぼすことがない。ステンレス製の網材（６）は安価であり、取り付けも簡単なため、費用がほとんどかからない。
なお、冷却ファン（３）から吐き出される温風の向きが変わらないために、ドーム状カバー（５）を設置しても冷却効果が低下することはない。
【００１２】
ドーム状カバー（５）の下部に、放熱器からの温風を吹き出すための点検口（７）等の開放構造を設けたものは、このドーム状カバー（５）を外すことなく、ベアリングの寿命チェック等の冷却ファン（３）に関する点検を容易に実施できる。
【発明を実施するための最良の形態】
【００１３】
本発明の冷却ファン用雪害防止装置は、冷却ファンを保護するファンガードに、その全面を覆うように網材からなるドーム状カバーを取り付けることで、冷却ファンのファンガード内へ雪が付着することを阻止すると共に、この網材に雪が付着した状態でも冷却ファンを回転させることができるものである。
【実施例１】
【００１４】
以下、本発明の好ましい実施の形態を図面を参照して説明する。
図１は本発明の実施例１の冷却ファン用雪害防止装置を示す側断面図（ａ）、正面図（ｂ）である。
実施例１の冷却ファン用雪害防止装置は、変圧器等の屋外機器の放熱用ラジエター１に備えた放熱器（図示していない）を構成する風胴２の内部で回転する冷却ファン３と、冷却ファン３の吹出側に、この冷却ファン３を覆うように設けたファンガード４と、このファンガード４に、その全面を覆うように取り付けた、網材６から成るドーム状カバー５と、を備えたものである。
【００１５】
ファンガード４は、同心円の大小の円形状の線材を組み合わせたものを、風胴２の開口に取り付けたものである。このファンガード４は、風雨により飛んでくる異物から冷却ファン３を保護する他に、人畜が回転物に接触して負傷しないようにするためのものでもある。
【００１６】
ドーム状カバー５は、網材６を浅い略半球体形状に形成したものでファンガード４の全面を覆うように屋外機器の放熱用ラジエター１に取り付けたものである。例えば、ドーム状カバー５は、その周縁を折り曲げ、それをファンガード４を固定しているボルト（図示していない）で同時に締め付け固定することができる。または、ファンガード４を外さずに、ドーム状カバー５の上からバンドで固定することも可能である。このドーム状カバー５の固定手段はこれらに限定されず、既存の屋外機器の放熱用ラジエター１に後付けすることができる。
【００１７】
特に本発明のドーム状カバー５は、風は通過させるが雪は通過させない程度の目地を有する網材６から成る。これは、このドーム状カバー５に雪が付着しても、この目地を通過として、ファンガード４に到達して付着し、更には冷却ファン３には付着しないようにするためである。このような条件に合う網材６としては、目地間隔Ｌ１，Ｌ２が５ｍｍ程度が最適であったことを検証した（図３参照）。また、網材６の素材としては金属製、例えばステンレス製のものが良好であった。
この状態でも、本発明の冷却ファン用雪害防止装置は、冷却ファン３を保護するファンガード４へ雪が付着することを阻止することができると共に、この網材６に雪が付着した状態でも冷却ファン３を回転させることができるものである
【００１８】
更に、ドーム状カバー５の下部に、冷却ファン（３）の動きを素手で確認するための開放構造を備えている。例えば、ドーム状カバー５の下部に略円弧形状に開けた点検口７を設けている。この点検口７等の開放構造は、冷却ファン３のベアリングの寿命等を点検するときに、この部分から内部点検することができる。即ち、このドーム状カバー５を外すことなくベアリング点検を容易に実施できる。
【００１９】
図２はドーム状カバー全面に雪が付着した場合に、温風で雪を融かす状態を示す説明図であり、（ａ）は温風が点検口のみから吹き出している状態、（ｂ）は温風が点検口と共にドーム状カバーの一部からも吹き出している状態、（ｃ）は温風がドーム状カバーの全体から吹き出している状態である。
豪雪地方の冬季においては、吹雪いた際の雪が冷却ファン用雪害防止装置のドーム状カバー５に付着する（図２（ａ）参照）。この状態で冷却ファン３を回転させて、温風が吹き出すときに、点検口７から温風が吹き出されるので、温風が風洞２内に充満するという不具合はない。
この温風の吹き出しているときに、ドーム状カバー５の内面が温風で暖められ、付着した雪Ｓが融解し始める。そこで、温風が点検口７と共にドーム状カバー５の一部からも吹き出すようになる（図２（ｂ）参照）。ドーム状カバー５の網材６に付着した雪の融雪水は、目地の表面を伝わって落ちる。網材６の目地に残った水分が凍結しても、冷却ファン３の回転時の温風で融けて吹き飛ばされる。
更に、時間が経過すると、ドーム状カバー５に付着した雪が全部融けて温風がドーム状カバー５の全体からも吹き出すようになる（図２（ｃ）参照）。冷却ファン３から吐き出される温風の向きが変わらないために、ドーム状カバー５を取り付けても冷却効果は低下しない。
【００２０】
図３はドーム状カバーの網材の拡大図を示す正面図である。
本発明のドーム状カバー５の網材６は、図示するように、その網材６を構成する複数本の線材が傾斜するように、ドーム状カバー５を配置した。これは、網材６を構成する線材からなる菱形形状が、上下に頂点が配置されているので、融解した水滴が滴り落ちやすくするためである。図示例では上下方向の略菱形になっているが、これが略正方形状や長方形状でも同様な効果を得ることができる。あるいは長円形状や楕円形状でも可能である。
【実施例２】
【００２１】
図４は本発明の実施例２の冷却ファン用雪害防止装置を示す正面図である。
ドーム状カバー５の下部には、放熱器からの温風を吹き出すための開放構造を設けたものであれば、上述した略円弧形状に開けた点検口７に限定されない。例えば、ドーム状カバー５の略下半分を開放する構造にすることも可能である。降雪地方であっても、大雪や吹雪になることが少ない地方では、ファンガード４を上方から覆う程度でもドーム状カバー５として機能する。このように広い開放構造を形成することにより、冷却ファン３の動きを素手で確認できないなどの不具合を解消することができる。
【００２２】
なお、本発明は、冷却ファン用雪害防止装置に、風は通過させるが雪は通過させない程度の目地を有する網材６から成るドーム状カバー５を、ファンガード４を覆うように装着することで、冷却ファン３のファンガード４へ雪が付着することを阻止することができれば、上述した発明の実施の形態に限定されず、本発明の要旨を逸脱しない範囲で種々変更できることは勿論である。
【産業上の利用可能性】
【００２３】
本発明の冷却ファン用雪害防止装置は、冷却ファンを雪害から保護できるので、上述した屋外機器の放熱用ラジエター以外に、降雪地方で使用される冷却ファンを具備した機器であれば種々の機器に利用することができる。
【図面の簡単な説明】
【００２４】
【図１】本発明の実施例１の冷却ファン用雪害防止装置を示す側断面図（ａ）、正面図（ｂ）である。
【図２】ドーム状カバー全面に雪が付着した場合に、温風で雪を融かす状態を示す説明図であり、（ａ）は温風が点検口のみから吹き出している状態、（ｂ）は温風が点検口と共にドーム状カバーの一部からも吹き出している状態、（ｃ）は温風がドーム状カバーの全体から吹き出している状態である。
【図３】ドーム状カバーの網材の拡大図を示す正面図である。
【図４】本発明の実施例２の冷却ファン用雪害防止装置を示す正面図である。
【図５】従来のファンカバーに庇を取り付けた状態を示す側断面図である。
【符号の説明】
【００２５】
１  屋外機器の放熱用ラジエター
２  風胴
３  冷却ファン
４  ファンガード
５  ドーム状カバー
６  網材
７  点検口
Ｓ  雪
【図１】
2006196794.tif 000003
【図２】
2006196794.tif 000004
【図３】
2006196794.tif 000005
【図４】
2006196794.tif 000006
【図５】
2006196794.tif 000007